【手続補正書】
【提出日】平成24年7月31日(2012.7.31)
【手続補正１】
【補正対象書類名】明細書
【補正対象項目名】発明の名称
【補正方法】変更
【補正の内容】
【発明の名称】顕微鏡システム
【手続補正２】
【補正対象書類名】特許請求の範囲
【補正対象項目名】全文
【補正方法】変更
【補正の内容】
【特許請求の範囲】
【請求項１】
標本の観察状態を電動で変更可能な顕微鏡システムであって、
前記顕微鏡システムを構成する各電動ユニットの動作を制御する顕微鏡制御部と、
外部からの物理的接触による入力を受け付けると共に、表示機能を有するタッチパネル部と、
前記タッチパネル部に対して行われたユーザーによる入力を検出した場合、接触動作に応じて、前記各電動ユニットを制御する前記顕微鏡制御部に制御指示信号を生成するタッチパネル制御部と、
を有し、
前記タッチパネル部上でのユーザーによる接触開始位置から接触終了位置までの軌跡に応じて、前記各電動ユニットの駆動を行うことを特徴とする顕微鏡システム。
【請求項２】
前記顕微鏡システムは、
前記標本を照明する光源と、
前記標本を載置するステージと、
対物レンズと、
を有し、かつ、
前記光源の光量を可変させる光量可変ユニットと、
前記対物レンズと前記ステージの観察光軸に対して水平方向の相対距離を変更させるステージＺ方向駆動ユニットと、
前記標本の観察倍率を変更する光学ズームユニットと、
複数の前記対物レンズを切替可能に装着したレボルバユニットと、
観察光路に光学素子を配置するターレットユニットと、
の中から少なくとも1つの電動ユニットを有し、
前記タッチパネル部上でのユーザーによる接触開始位置から接触終了位置までの軌跡に応じて、前記少なくとも1つの電動ユニットの状態を変更可能であることを特徴とする請求項１に記載の顕微鏡システム。
【請求項３】
前記ステージＺ方向駆動ユニットは、前記タッチパネル部上でのユーザーによる接触開始位置から接触終了位置までの軌跡において、一定時間後の接触位置に比例して、前記対物レンズとステージの光軸方向の距離を連続的に変更可能であることを特徴とする請求項２に記載の顕微鏡システム。
【請求項４】
前記顕微鏡システムは、前記ステージを前記観察光軸に対して垂直方向に移動させるステージＸＹ方向駆動ユニットを有し、
前記ステージＸＹ方向駆動ユニットは、前記タッチパネル部上でのユーザーによる接触開始位置から接触終了位置までの軌跡において、一定時間後の接触位置の距離及び方向に比例して、前記ステージを前記観察光軸に対して垂直方向の距離及び方向を連続的に変更可能であることを特徴とする請求項２又は３に記載の顕微鏡システム。
【請求項５】
前記対物レンズとステージの観察光軸に対して垂直方向の移動距離は、前記対物レンズの倍率又はズームユニットのズーム倍率に応じて可変になっていることを特徴とする請求項４に記載の顕微鏡システム。
【請求項６】
前記タッチパネル部の所定の位置に物理的な標識である位置標識部を備えることを特徴とする請求項２に記載の顕微鏡システム。
【請求項７】
前記位置標識部は、前記タッチパネル部の周縁に沿って設けられた所定の高さを有する枠状の凸部、または前記各電動ユニットを制御するための操作を行う顕微鏡コントローラの筐体の所定の表面に設けた凹部の底面に前記タッチパネル部を設置した場合のタッチパネル部の平面と該筐体の所定の表面との間に形成される段差であることを特徴とする請求項６に記載の顕微鏡システム。
【請求項８】
前記タッチパネル部において、前記位置標識部に沿って所定の範囲内に前記各電動ユニットを操作する少なくとも１つの機能エリアを配置することを特徴とする請求項７に記載の顕微鏡システム。
【請求項９】
前記位置標識部の周辺にそって配置された機能エリアには、前記光量可変ユニットによる前記光源の光量の変更、前記ステージＺ方向駆動ユニットによる前記対物レンズとステージの前記観察光軸に対して水平方向の相対距離の変更、前記光学ズームユニットによる前記標本の観察倍率の変更、前記レボルバユニットによる対物レンズの切替、前記ターレットユニットによる観察光路への光学素子の配置、のうち少なくとも1つ機能を割り当てることを特徴とする請求項８に記載の顕微鏡システム。
【請求項１０】
前記タッチパネル部の所定の位置に物理的な標識である第１及び第２の位置標識部を備え、
前記タッチパネル制御部は、前記タッチパネル部の周縁に沿って所定の範囲に、１つ以上の前記機能エリアを連続的に設定すると共に、前記タッチパネル部の周縁に沿って設定された機能エリアに囲まれた領域に機能エリアを中央部機能エリアとして設定し、
前記第１の位置標識部は、前記タッチパネル部の周縁に沿って設けられた所定の高さを有する第１の枠状の凸部、または前記各電動ユニットを制御するための操作を行う顕微鏡コントローラの筐体の所定の表面に設けた凹部の底面に前記タッチパネル部を設置した場合のタッチパネル部の平面と該筐体の所定の表面との間に形成される第１の段差であり、
前記第２の位置標識部は、前記タッチパネル部上において前記中央部機能エリアと前記タッチパネル部の周縁に沿って設定された機能エリアとの境界に沿って設けられた所定の高さを有する第２の枠状の凸部、または該中央部機能エリアを含む面と前記機能エリアを含む面との間に形成される第２の段差であることを特徴とする請求項１に記載の顕微鏡システム。
【請求項１１】
前記第１の枠状の凸部の内壁側または前記第１の段差の側壁に、及び前記第２の枠状の凸部または前記第２の段差のうち少なくともいずれかに、１つ以上の突起が形成されていることを特徴とする請求項１０に記載の顕微鏡システム。"
【請求項１２】
前記第２の枠状の凸部は、前記タッチパネル部に対して取り外し可能であることを特徴とする請求項１１に記載の顕微鏡システム。
【手続補正３】
【補正対象書類名】明細書
【補正対象項目名】０００８
【補正方法】変更
【補正の内容】
【０００８】
本発明にかかる、顕微鏡システムは、標本の観察状態を電動で変更可能な顕微鏡システムであって、前記顕微鏡システムを構成する各電動ユニットの動作を制御するための顕微鏡制御部と、外部からの物理的接触による入力を受け付けると共に、表示機能を有するタッチパネル部と、前記タッチパネル部に対して行われたユーザーによる入力を検出した場合、接触動作に応じて、前記各電動ユニットを制御する前記顕微鏡制御部に制御指示信号を生成するタッチパネル制御部と、を有し、前記タッチパネル部上でのユーザーによる接触開始位置から接触終了位置までの軌跡に応じて、前記各電動ユニットの駆動を行うことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】